(57)【特許請求の範囲】
【請求項１】
便器の洗浄管に設置された少なくとも一つの自動フラッシュモジュールを含み、
当該自動フラッシュモジュールは制御システム、センサ、及び電動バルブを備え、
前記制御システムは前記センサ及び前記電動バルブに接続され、
前記電動バルブはバルブ及びパワーモータを有し、
前記自動フラッシュモジュールは、第一配管及び第二配管を含み前記便器の前記洗浄管に設置された二重チャネル分流式配管を備え、
前記電動バルブの前記バルブは前記第一配管に設置され、
前記パワーモータにより前記バルブを駆動することによって、前記電動バルブは前記洗浄管の洗浄を制御し、
前記第二配管に手動バルブが設置され、
前記二重チャネル分流式配管は自動洗浄と手動洗浄との２つの機能を備える、
ことを特徴とするスマート全自動洗浄便器。
【請求項２】
便器の洗浄管に設置された少なくとも一つの自動フラッシュモジュールを含み、
当該自動フラッシュモジュールは制御システム、センサ、及び電動バルブを備え、
前記制御システムは前記センサ及び前記電動バルブに接続され、
前記電動バルブはバルブ及びパワーモータを有し、
前記便器にタンクが設置され、
前記自動フラッシュモジュールは、第一配管及び第二配管を含み前記タンクの下方に設置された二重チャネル分流式配管を備え、
前記第一配管及び前記第二配管の末端は前記便器の前記洗浄管に接合され、
前記電動バルブの前記バルブは前記第一配管に設置され、
前記パワーモータにより前記バルブを駆動することによって、前記電動バルブは前記洗浄管の洗浄を制御し、
前記タンクに手動バルブが設置され、
前記第二配管と前記タンクの前記手動バルブとが連結され、前記タンクの前記手動バルブを操作し手動制御で前記洗浄管を洗浄することによって、前記二重チャネル分流式配管は自動洗浄と手動洗浄との２つの機能を備える、
ことを特徴とするスマート全自動洗浄便器。
【請求項３】
便器の洗浄管に設置された少なくとも一つの自動フラッシュモジュールを含み、
当該自動フラッシュモジュールは制御システム、センサ、及び電動バルブを備え、
前記制御システムは前記センサ及び前記電動バルブに接続され、
前記電動バルブはバルブ及びパワーモータを有し、
前記便器にタンクが設置され、
前記自動フラッシュモジュールは、第一配管及び第二配管を含み前記タンクの下方に設置された二重チャネル分流式配管を備え、
前記第一配管及び前記第二配管の末端は前記便器の前記洗浄管に接合され、
前記電動バルブの前記バルブは前記第一配管に設置され、
前記パワーモータにより前記バルブを駆動することによって、前記電動バルブは前記洗浄管の洗浄を制御し、
前記第二配管に手動バルブが設置され、
当該手動バルブを操作し手動制御で前記洗浄管を洗浄することによって、前記二重チャネル分流式配管は自動洗浄と手動洗浄との２つの機能を備える、
ことを特徴とするスマート全自動洗浄便器。
【請求項４】
便器の洗浄管に設置された少なくとも一つの自動フラッシュモジュールを含み、
当該自動フラッシュモジュールは制御システム、センサ、及び電動バルブを備え、
前記制御システムは前記センサ及び前記電動バルブに接続され、
前記電動バルブはバルブ及びパワーモータを有し、
前記便器にタンクが設置され、
前記自動フラッシュモジュールは、第一配管及び第二配管を含み前記便器の前記洗浄管に設置された二重チャネル分流式配管を備え、
前記電動バルブの前記バルブは前記第一配管に設置され、
前記パワーモータにより前記バルブを駆動することによって、前記電動バルブは前記洗浄管の洗浄を制御し、
前記第二配管に手動バルブが設置され、
当該手動バルブを操作し手動制御で前記洗浄管を洗浄することによって、前記二重チャネル分流式配管は自動洗浄と手動洗浄との２つの機能を備える、
ことを特徴とするスマート全自動洗浄便器。
【請求項５】
前記タンクの外側に外殼を備え、
前記タンク内に貯水し、前記外殼に電子設備が設置された二層タンク構造を形成することにより、前記便器と一体化し、前記電子設備と前記洗浄管とを内部に納める、
ことを特徴とする請求項２、３又は４に記載のスマート全自動洗浄便器。
【請求項６】
前記制御システムはタイマーを備え、前記電動バルブの前記バルブの開閉時間を制御し、また流量を制御する、
ことを特徴とする請求項１〜５のいずれか一項に記載のスマート全自動洗浄便器。
【請求項７】
前記センサは、赤外線センサ、超音波センサ又はレーダセンサである、
ことを特徴とする請求項１〜５のいずれか一項に記載のスマート全自動洗浄便器。
【請求項８】
前記バルブは、玉形弁、板弁、半カラムバルブ又は全カラムバルブである、
ことを特徴とする請求項１〜５のいずれか一項に記載のスマート全自動洗浄便器。
【請求項９】
前記自動フラッシュモジュールは、それぞれが異なる方向を検出する複数個の前記センサを備える、
ことを特徴とする請求項１〜５のいずれか一項に記載のスマート全自動洗浄便器。
【発明の詳細な説明】
【技術分野】
【０００１】
本発明はスマート洗浄便器構造の一種に関する。
【背景技術】
【０００２】
現在市場でよく見られるスマート洗浄便器はセットで販売されている。それは特殊設計された便器に特製スマート洗浄装置を取付け、便器にスマート洗浄機能を持たせている。そのため、消費者はセットごとのスマート洗浄便器の設備を購入しないと、スマート洗浄便器の利便性を実感することができない。
【発明の概要】
【発明が解決しようとする課題】
【０００３】
しかし殆どの人は便器が損壊し、又は使用できなった状態でない限り、セットごとの便器設備を交換する意欲がない。またスマート洗浄便器は特定便器にしか使えないので、スマート洗浄便器の売上に影響を与え、かつ殆どの家庭にとってセットごとのスマート洗浄便器の交換費用は大きな負担となり、経済効果があまり期待できない。
【０００４】
また一般市場で販売される自動洗浄便器は、単一センサを使って洗浄するかどうかを判断する。もしセンサの設置位置が高すぎると、子供がトイレを使うとき、正確に検知できないし、センサの設置位置が低すぎると、センサは便器の蓋に邪魔され、又は遮蔽されやすくなる。更に当該センサが故障し、又は邪魔された（例：センサが汚れている）とき、便器洗浄の操作ができなくなり、又は洗浄できないことになる。
【０００５】
よって、本発明の発明者は、長年バルブ・配管システム等の関連設備及び部品を研究開発し、また製造と販売経験により、特に上記の周知されるスマート洗浄便器の問題についてよく研究した上、本発明を発明した。本発明の目的は、自動フラッシュモジュールを使うことによって、各種の便器の自動センサ用洗浄技術を実現するスマート全自動洗浄便器を提供することにある。
【０００６】
本発明では、各種の便器に自動フラッシュモジュールを設置し、当該自動フラッシュモジュールによって、各種の便器の全自動洗浄機能を発揮する。その施工及び取付けはとても簡単であり、かつ洗浄量を制御することによって水節約の目的を達成することが可能である。また二重チャネル構造にすることが可能であり、上記によって自動フラッシュモジュールは自動洗浄と手動洗浄の２つの機能を備え、使用者は停電になっても安心して用を足すことができるので、用を足すときの利便性を高めることができる。
【課題を解決するための手段】
【０００７】
前記目的を達成するために、本発明のスマート全自動洗浄便器は、少なくとも一つの自動フラッシュモジュールを含む。当該自動フラッシュモジュールは、制御システム、センサ、及び電動バルブを備え、前記制御システムは前記センサ及び電動バルブに接続される。前記電動バルブはバルブ及びパワーモータを有する。当該バルブは便器の洗浄管に設置される。またパワーモータによりバルブを駆動することによって、電動バルブは洗浄管の洗浄を制御する。
【０００８】
本発明のスマート全自動洗浄便器の前記自動フラッシュモジュールは、二重チャネル分流式配管を備える。当該二重チャネル分流式配管は便器の洗浄管に設置される。便器にタンクが設置されるとき、前記二重チャネル分流式配管はタンクの下方、又は便器の洗浄管に設置されることができる。前記二重チャネル分流式配管は第一配管及び第二配管を含む。前記電動バルブのバルブは第一配管に設置され、かつ前記第二配管に手動バルブが設置される。ニーズに合わせて、当該手動バルブが第二配管又は便器に設置されることによって、当該二重チャネル分流式配管は自動洗浄と手動洗浄との２つの機能を備える。したがって、停電又は電動バルブが故障しているときに洗浄できない問題が解決される。
【０００９】
本発明のスマート全自動洗浄便器において、前記制御システムはタイマーを備え、また適切な洗浄時間の設定が可能であることによって、バルブの開閉時間を正確に制御し、流量を制御することができる。
【００１０】
本発明のスマート全自動洗浄便器において、前記バルブは、玉形弁、板弁又はカラムバルブを使うことができる。かつ前記センサは、赤外線センサ、超音波センサ又はレーダセンサを使うことができる。それぞれが異なる方向を検出する複数個の前記センサを使うことによって、前記制御システムは、複数個のセンサから伝送される信号を検出してから、便器のスマート洗浄及び設備の機能を発揮させることができる。
【図面の簡単な説明】
【００１１】
【図１】図１は本発明を無タンク洋式便器に応用する第一実施例である。
【図２】図２は本発明を無タンク洋式便器に応用する第二実施例である。
【図３】図３は本発明を無タンク和式便器に応用する実施例である。
【図４】図４は本発明の玉形弁の第一洗浄動作モード図である。
【図５】図５は本発明の玉形弁の第二洗浄動作モード図である。
【図６】図６は本発明の板弁の第一洗浄動作モード図である。
【図７】図７は本発明の板弁の第二洗浄動作モード図である。
【図８】図８は本発明の半カラムバルブの第一洗浄動作モード図である。
【図９】図９は本発明の半カラムバルブの第二洗浄動作モード図である。
【図１０】図１０は本発明の全カラムバルブの第一洗浄動作モード図である。
【図１１】図１１は本発明の全カラムバルブの第二洗浄動作モード図である。
【図１２】図１２は本発明をタンク和式便器に応用する実施例である。
【図１３】図１３は図１２の第一使用状態モード図である。
【図１４】図１４は図１２の第二使用状態モード図である。
【図１５】図１５は本発明をタンク付洋式便器に応用する実施例である。
【図１６】図１６は本発明のタンク付便器の二重チャネル分流式配管の第一実施例である。
【図１７】図１７は本発明のタンク付便器の二重チャネル分流式配管の第二実施例である。
【図１８】図１８は本発明の２層構造タンクの第一実施例である。
【図１９】図１９は本発明の２層構造タンクの第二実施例である。
【図２０】図２０は本発明の２層構造タンクの第三実施例である。
【図２１】図２１は本発明の２層構造タンクの第四実施例である。
【図２２】図２２は図２０の第一使用状態モード図である。
【図２３】図２３は図２０の第二使用状態モード図である。
【発明を実施するための形態】
【００１２】
本発明を十分に理解できるようにするために本発明をより良く理解することができるように、当該スマート全自動洗浄便器の最良の実施形態について説明する。この実施形態は図１〜図２３に示すように、少なくとも一つの自動フラッシュモジュール１を含む。前記自動フラッシュモジュール１を便器２の洗浄管２０に設置し、当該自動フラッシュモジュール１に制御システム１０、センサ１１及び電動バルブ１２を設置する。前記制御システム１０にＭＣＵマイクロコントローラを使うことができる。前記制御システム１０を前記センサ１１及び電動バルブ１２に接合することによって、当該制御システム１０はセンサ１１に届いた信号を受け取ってから、電動バルブ１２を駆動して洗浄を行う。ニーズに合わせて、前記制御システム１０と前記センサ１１又は電動バルブ１２は、一体又は一つの独立した装置であることができる。使用者を検知するために、前記センサ１１を便器２のいかなる位置に設置してもよい。前記センサ１１は、赤外線センサ、超音波センサ又はレーダセンサを使うことができる。
【００１３】
図３及び１８〜２３に示すように、前記センサ１１を複数個使うことができる。前記複数個のセンサ１１を別々に違う位置に設置し、また別々に２つの違う方向を検知することができる。違う方向を検知できることによって、単一検知器で検知するときの死角を克服し、また子供が検知されにくい問題も解決できる。前記制御システム１０によって複数個のセンサから伝送される信号を検出してから、便器のスマート洗浄及び設備の機能を発揮させることができる。前記複数個のセンサを違うパターンのセンサを使うことによって、検知の精度を高める。また多重検知によって、機器による判断ミスが減らされ、かつ一つの検知器が故障しても自動洗浄機能が維持される。
【００１４】
図３及び１８〜２３に示すように、ダブルセンサ１１を例として、２つのセンサが正常に作動するとき、前記制御システムが２つのセンサからの洗浄信号を受け取ってから、直ちに便器を起動させ、自動洗浄することによって、検知器の誤作動問題を避ける。前記制御システム１０がセンサ故障を検知したとき、直ちに自動的に単センサモードに切り替え、また修理が必要になる警告を発することによって、当該便器は自動洗浄機能を維持するだけでなく、速やかに修理作業員に通知し、故障を修理することができる。違う位置又は違う角度にあるセンサが子供を検知したとき、直ちにキッズモードを起動することによって、低位置又は低角度のセンサにより便器を起動し、自動的に洗浄することを判断する。
【００１５】
前記電動バルブ１２にバルブ１２０とパワーモータ１２１を設置し、当該バルブ１２０を便器２の洗浄管２０に設置し、またパワーモータ１２１によってバルブ１２０を駆動することにより、電動バルブ１２によって洗浄管の洗浄を制御する。前記バルブ１２０は、便器２の洗浄管２０に適合するバルブ構造である玉形弁（図４、５参照）、板弁（図６、７参照）、半カラムバルブ（図８、９参照）、全カラムバルブ（図１０、１１参照）等を使うことができる。かつ前記パワーモータ１２１は、バルブの作動方式と対応するロータリーパワーモータ又はパワーテレスコピックモータ等の構造である。前記制御システム１０にタイマーを設置して、適切な洗浄時間を設定することによって、バルブ１２０の開閉時間を正確に制御し、また流量を制御することができる。
【００１６】
図１２、１６、１７、１９、２０及び２１に示すように、前記自動フラッシュモジュール１に二重チャネル分流式配管１３を設置することができる。当該二重チャネル分流式配管１３を便器２の洗浄管２０に設置し、かつ当該二重チャネル分流式配管１３に第一配管１３０と第二配管１３１を設置し、前記電動バルブ１２のバルブ１２０を第一配管１３０に設置し、かつ前記第二配管１３１に手動バルブ１４を設置することによって、当該二重チャネル分流式配管１３は、自動洗浄と手動洗浄の２つの機能を備えることによって、停電又は電動バルブ１２が故障したときの洗浄不能の問題を解決する。
【００１７】
図１２〜２１に示すように、便器２にタンク２Ａが設けられているとき、ニーズに合わせて、前記二重チャネル分流式配管１３をタンク２Ａ下方（図１５〜２１参照）又は便器２の洗浄管２０に設置することができる（図１２〜１４参照）。前記二重チャネル分流式配管１３に第一配管１３０と第二配管１３１を設置し、前記電動バルブ１２のバルブ１２０を第一配管１３０に設置し、かつ前記第二配管１３１に手動バルブ１４を設置し、当該手動バルブ１４を第二配管１３１（図１２、１７、１９及び２１参照）又は便器２に設置すると（図１６及び２０参照）、当該二重チャネル分流式配管１３は直ちに自動洗浄と手動洗浄の２つの機能を備えることによって、停電又は電動バルブが故障しているときに洗浄できない問題が解決される。
【００１８】
図１８〜２１に示すように、前記タンク２Ａの外側に外殼２１を設置し、二層タンク構造を形成することによって、直ちにタンク２Ａ内に水を貯水し、外殼２１に電子設備を設置することにより、便器と一体化になり、電子部品と洗浄管２０を内部に納め、ビジュアルイメージを効果的に作る。
【００１９】
図１３、１４、２２及び２３に示すように、使用者が用を足すとき、前記センサ１１は直ちに使用者を検知し、使用者が便器から離れると、前記制御システム１０は直ちにセンサ１１から発信された信号をキャッチしてから、前記電動バルブ１２を駆動して洗浄を行って、便器の自動洗浄効果を達成する。
【００２０】
以上をまとめると、本発明のスマート全自動洗浄便器は、自動フラッシュモジュールを各種タンク付、又は無タンクの便器に（洋式便器、和式便器等を含む）取付け、また各種便器の全自動洗浄機能を発揮する。その施工及び取付けはとても簡単であり、更に便器の洗浄管を交換することによって、従来の各種便器を直接スマート洗浄便器に改造し、かつ洗浄量を制御することによって水節約の目的を達成することが可能である。また二重チャネル分流式配管にすることが可能であり、上記によってスマート便器は自動洗浄と手動洗浄の２つの機能を備え、使用者は停電になっても安心して用を足すことができるので、用を足すときの利便性を高めることができる。
【００２１】
前記実施例又は図式は、本発明の態樣又は使用方式に限定されるものではない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと解される。
【符号の説明】
【００２２】
１：自動フラッシュモジュール
１０：制御システム
１１：センサ
１２：電動バルブ    １２０：バルブ  １２１：パワーモータ
２：便器
２０：洗浄管
【図１】
0006975990.tif 000002
【図２】
0006975990.tif 000003
【図３】
0006975990.tif 000004
【図４】
0006975990.tif 000005
【図５】
0006975990.tif 000006
【図６】
0006975990.tif 000007
【図７】
0006975990.tif 000008
【図８】
0006975990.tif 000009
【図９】
0006975990.tif 000010
【図１０】
0006975990.tif 000011
【図１１】
0006975990.tif 000012
【図１２】
0006975990.tif 000013
【図１３】
0006975990.tif 000014
【図１４】
0006975990.tif 000015
【図１５】
0006975990.tif 000016
【図１６】
0006975990.tif 000017
【図１７】
0006975990.tif 000018
【図１８】
0006975990.tif 000019
【図１９】
0006975990.tif 000020
【図２０】
0006975990.tif 000021
【図２１】
0006975990.tif 000022
【図２２】
0006975990.tif 000023
【図２３】
0006975990.tif 000024